【手続補正書】
【提出日】平成18年5月19日(2006.5.19)
【手続補正１】
【補正対象書類名】明細書
【補正対象項目名】発明の名称
【補正方法】変更
【補正の内容】
【発明の名称】情報提供システム、情報提供方法及びコンピュータ可読メモリ
【手続補正２】
【補正対象書類名】明細書
【補正対象項目名】特許請求の範囲
【補正方法】変更
【補正の内容】
【特許請求の範囲】
【請求項１】
第１情報を識別コードと関連付けて登録する第１登録手段と、
前記第１登録手段に登録された第１情報の第１キーワードリストを作成するキーワードリスト作成手段と、
第２情報を第２キーワードリストと関連付けて登録する第２登録手段と、
前記識別コードの入力を受け付ける受付手段と、
前記受付手段で受け付けられた識別コードと関連付けられた第１情報を取得する取得手段と、
前記取得手段で取得された第１情報の第１キーワードリスト及び、前記第２キーワードリストに基づき、前記第２情報を検索する検索手段と、
前記取得手段で取得された第１情報のコンテンツとともに、前記検索手段で検索された第２情報のコンテンツを１つのシートにレイアウトして、印刷レイアウトを作成する印刷レイアウト作成手段と
を備えることを特徴とする情報提供システム。
【請求項２】
前記第１キーワードリスト及び前記２キーワードリストは、前記第１情報及び前記第２情報の内容が肯定的か否定的かに応じた各キーワードの重み値を有し、
前記検索手段は、各キーワードの重み値に基づいて前記第２情報を検索する
ことを特徴とする請求項１に記載の情報提供システム。
【請求項３】
前記検索手段は、さらに、前記第２情報の掲載期限に基づいて、前記第２情報を検索する
ことを特徴とする請求項１に記載の情報提供システム。
【請求項４】
前記検索手段は、さらに、前記第２情報の課金額に基づいて、前記第２情報を検索する
ことを特徴とする請求項１に記載の情報提供システム。
【請求項５】
前記検索手段は、さらに、前記第２情報の印刷制限に基づいて、前記第２情報を検索する
ことを特徴とする請求項１に記載の情報提供システム。
【請求項６】
前記検索手段は、さらに、前記第２情報の掲載頻度に基づいて、前記第２情報を検索する
ことを特徴とする請求項１に記載の情報提供システム。
【請求項７】
前記キーワードリスト作成手段は、前記第１情報のプロパティ、利用者のプロパティ、プリント端末のプロパティに基づいて、前記第１情報のキーワードリストを作成する
ことを特徴とする請求項１に記載の情報提供システム。
【請求項８】
前記検索手段は、複数の第２情報を検索し、
前記印刷レイアウト作成手段は、前記検索手段で検索された各第２情報に対応して複数の印刷レイアウトを作成する
ことを特徴とする請求項１に記載の情報提供システム。
【請求項９】
第１情報を識別コードと関連付けて記憶媒体に登録する第１登録工程と、
前記第１登録工程で前記記憶媒体に登録された第１情報の第１キーワードリストを作成するキーワードリスト作成工程と、
第２情報を第２キーワードリストと関連付けて記憶媒体に登録する第２登録工程と、
前記識別コードの入力を受け付ける受付工程と、
前記受付工程で受け付けられた識別コードと関連付けられた第１情報を取得する取得工程と、
前記取得工程で取得された第１情報の第１キーワードリスト及び、前記第２キーワードリストに基づき、前記第２情報を検索する検索工程と、
前記取得工程で取得された第１情報のコンテンツとともに、前記検索工程で検索された第２情報のコンテンツを１つのシートにレイアウトして、印刷レイアウトを作成する印刷レイアウト作成工程と
を備えることを特徴とする情報提供方法。
【請求項１０】
第１情報を識別コードと関連付けて記憶媒体に登録する第１登録工程と、
前記第１登録工程で前記記憶媒体に登録された第１情報の第１キーワードリストを作成するキーワードリスト作成工程と、
第２情報を第２キーワードリストと関連付けて記憶媒体に登録する第２登録工程と、
前記識別コードの入力を受け付ける受付工程と、
前記受付工程で受け付けられた識別コードと関連付けられた第１情報を取得する取得工程と、
前記取得工程で取得された第１情報の第１キーワードリスト及び、前記第２キーワードリストに基づき、前記第２情報を検索する検索工程と、
前記取得工程で取得された第１情報のコンテンツとともに、前記検索工程で検索された第２情報のコンテンツを１つのシートにレイアウトして、印刷レイアウトを作成する印刷レイアウト作成工程と
をコンピュータに実行させるためのプログラムを記憶したコンピュータ可読メモリ。
【手続補正３】
【補正対象書類名】明細書
【補正対象項目名】０００１
【補正方法】変更
【補正の内容】
【０００１】
本発明は、ユーザがより欲する付加的な情報（例えば、広告情報）を精度良く検索して、提供する情報提供システム、情報提供方法及びコンピュータ可読メモリに関するものである。
【手続補正４】
【補正対象書類名】明細書
【補正対象項目名】０００５
【補正方法】変更
【補正の内容】
【０００５】
本発明は、本来的には広告情報のような一方通行的な情報を、適切なタイミングで適度の量だけユーザに伝達されるようにした情報提供システム、情報提供方法及びコンピュータ可読メモリを提案するものである。
【課題を解決するための手段】
上記の目的を達成するための本発明による情報提供システムは以下の構成を備える。即ち、
第１情報を識別コードと関連付けて登録する第１登録手段と、
前記第１登録手段に登録された第１情報の第１キーワードリストを作成するキーワードリスト作成手段と、
第２情報を第２キーワードリストと関連付けて登録する第２登録手段と、
前記識別コードの入力を受け付ける受付手段と、
前記受付手段で受け付けられた識別コードと関連付けられた第１情報を取得する取得手段と、
前記取得手段で取得された第１情報の第１キーワードリスト及び、前記第２キーワードリストに基づき、前記第２情報を検索する検索手段と、
前記取得手段で取得された第１情報のコンテンツとともに、前記検索手段で検索された第２情報のコンテンツを１つのシートにレイアウトして、印刷レイアウトを作成する印刷レイアウト作成手段と
を備える。
【手続補正５】
【補正対象書類名】明細書
【補正対象項目名】０００６
【補正方法】変更
【補正の内容】
【０００６】
また、好ましくは、前記第１キーワードリスト及び前記２キーワードリストは、前記第１情報及び前記第２情報の内容が肯定的か否定的かに応じた各キーワードの重み値を有し、
前記検索手段は、各キーワードの重み値に基づいて前記第２情報を検索する。
【手続補正６】
【補正対象書類名】明細書
【補正対象項目名】０００７
【補正方法】変更
【補正の内容】
【０００７】
また、好ましくは、前記検索手段は、さらに、前記第２情報の掲載期限に基づいて、前記第２情報を検索する。
【手続補正７】
【補正対象書類名】明細書
【補正対象項目名】０００８
【補正方法】変更
【補正の内容】
【０００８】
また、好ましくは、前記検索手段は、さらに、前記第２情報の課金額に基づいて、前記第２情報を検索する。
【手続補正８】
【補正対象書類名】明細書
【補正対象項目名】０００９
【補正方法】変更
【補正の内容】
【０００９】
また、好ましくは、前記検索手段は、さらに、前記第２情報の印刷制限に基づいて、前記第２情報を検索する。
【手続補正９】
【補正対象書類名】明細書
【補正対象項目名】００１０
【補正方法】変更
【補正の内容】
【００１０】
また、好ましくは、前記検索手段は、さらに、前記第２情報の掲載頻度に基づいて、前記第２情報を検索する。
【手続補正１０】
【補正対象書類名】明細書
【補正対象項目名】００１１
【補正方法】変更
【補正の内容】
【００１１】
また、好ましくは、前記キーワードリスト作成手段は、前記第１情報のプロパティ、利用者のプロパティ、プリント端末のプロパティに基づいて、前記第１情報のキーワードリストを作成する。
【手続補正１１】
【補正対象書類名】明細書
【補正対象項目名】００１２
【補正方法】変更
【補正の内容】
【００１２】
また、好ましくは、前記検索手段は、複数の第２情報を検索し、
前記印刷レイアウト作成手段は、前記検索手段で検索された各第２情報に対応して複数の印刷レイアウトを作成する。
【手続補正１２】
【補正対象書類名】明細書
【補正対象項目名】００１３
【補正方法】変更
【補正の内容】
【００１３】
上記の目的を達成するための本発明による情報提供方法は以下の構成を備える。即ち、
第１情報を識別コードと関連付けて記憶媒体に登録する第１登録工程と、
前記第１登録工程で前記記憶媒体に登録された第１情報の第１キーワードリストを作成するキーワードリスト作成工程と、
第２情報を第２キーワードリストと関連付けて記憶媒体に登録する第２登録工程と、
前記識別コードの入力を受け付ける受付工程と、
前記受付工程で受け付けられた識別コードと関連付けられた第１情報を取得する取得工程と、
前記取得工程で取得された第１情報の第１キーワードリスト及び、前記第２キーワードリストに基づき、前記第２情報を検索する検索工程と、
前記取得工程で取得された第１情報のコンテンツとともに、前記検索工程で検索された第２情報のコンテンツを１つのシートにレイアウトして、印刷レイアウトを作成する印刷レイアウト作成工程と
を備える。
【手続補正１３】
【補正対象書類名】明細書
【補正対象項目名】００１４
【補正方法】変更
【補正の内容】
【００１４】
上記の目的を達成するための本発明によるコンピュータ可読メモリは以下の構成を備える。即ち、
第１情報を識別コードと関連付けて記憶媒体に登録する第１登録工程と、
前記第１登録工程で前記記憶媒体に登録された第１情報の第１キーワードリストを作成するキーワードリスト作成工程と、
第２情報を第２キーワードリストと関連付けて記憶媒体に登録する第２登録工程と、
前記識別コードの入力を受け付ける受付工程と、
前記受付工程で受け付けられた識別コードと関連付けられた第１情報を取得する取得工程と、
前記取得工程で取得された第１情報の第１キーワードリスト及び、前記第２キーワードリストに基づき、前記第２情報を検索する検索工程と、
前記取得工程で取得された第１情報のコンテンツとともに、前記検索工程で検索された第２情報のコンテンツを１つのシートにレイアウトして、印刷レイアウトを作成する印刷レイアウト作成工程と
をコンピュータに実行させるためのプログラムを記憶したコンピュータ可読メモリ。